(57)【要約】      （修正有）【課題】地震の揺れを吸収する耐震、免震構造の建造物を構築すること。【解決手段】大地にしっかりと固定されたベタ基礎の上に一旦縁切りの為のシート類を敷くことによって、地震の揺れを吸収する耐震、免震構造の建物を構築することを可能にした。【選択図】図１
0003126698.tif 000002
【実用新案登録請求の範囲】
【請求項１】
地震に対する耐震（免震）の建築物を考案したもので比較的簡単な仕組みでほぼ完全な耐震（免震）の建築物を建造することができる。
平成１７年３月２０日に福岡西方沖地震を体験して、勤務しているビルの３階の自分の教室（音楽室）でスチール戸棚のガラスや楽器のコントラバスが倒れて、壊れてしまった。棚の中のものは飛び出してバラバラに散乱している。
しかし高い台座にのった３６インチの大型テレビが倒壊を免れた。自由に動くキャスター付の台座に乗っていたからである。
また重量のあるグランドピアノが約１０センチメートルほどずれていた。もしもピアノが床に固定されていたなら足が付け根から折れていたであろう。
これらの現象は慣性の法則によって説明できる。「動いているものはいつまでも動こうとするし、止まっているものは、いつまでも止まっていようとする」建物の地震による崩壊はまさにこの慣性の法則に適っている。
結論をいえば、ほぼ完全な耐震（免震）の建築物を建造するためにはこのキャスターの車に当たるものを建造物の下に取り付ければいいのでる。
このような理論による耐震（免震）の建築物建物の地下にゴムの地震吸収物を履かせたりしてすでに実用化している。
当実用新案登録の意味するところは、キャスターとかゴムとかではなく、既存の建築方法と大差なく一工夫の工法による耐震（免震）の効果を期待できるものである。その方法とは、建造物の基礎工事にある。
つまり基礎工事の段階で、地面にしっかりと食い込んだ基礎の部分と地表に建てられる建造物の間に縁切りのシートを入れて一切のものを連結させずに自由に動くようにすることである。（ビニール、黒色防水シート、プラスティック板、ステンレススチール製の鋼板など材料は多様に考えられる）
このような仕組み（装置）によってどんな大きな振幅の地震でも建造物はほとんど動かずに、縁切りの部分が地震の振幅に対応するようにずれ動くだけで建造物の倒壊は防止できる。
さらに建物の中にある家具や家財までもが守られる。縁切り部分が地震を吸収して動かないので落下や倒壊の危険性がなくなる。
この方法による耐震（免震）の効果は地震の横揺れに対して顕著にその効果を発揮するのであって、縦揺れにはその効果はあまり期待できないが、柱や梁をできるだけ頑丈にすることや、屋根材をできるだけ軽量の材質のものにするなどの方法によって縦揺れに対する耐震（免震）の効果は大きくなる。
本来日本の建造物は縦揺れには強い性質を持っている。
このように横揺れに対してはその効果が特に有効に働くことが期待できる。特に一戸建の住宅建築においてその効果は顕著である。
たった一枚のシートがほぼ完全な耐震（免震）の役割を果たす為には、幾つかの条件がある。
第１の条件は建物の基礎がベタ基礎であること。建物全体を一枚のコンクリート板に載せるベタ基礎が大前提となる。今までの通常のベタ基礎よりも建物の外側に最低５０センチメートルほど張り出しておくことが必要である。これは平常時には犬走りとなって通路として使えるので便利である。一石二鳥である。
第２の条件は、基礎の最上部（縁切りの部分）が水平で滑らかな平らであることである。その工法は水平を保ちながら固まる液体コンクリートの使用が考えられる。
第３の条件は、地下から建物に連結する水道管ガス管等の処理の仕方である。立ち上がりの部分に可動部分を設けることによって、条件を満たす工事が可能である。
建物の建築にあたっては、従来通りの耐震（免震）の為の一定の規格に基く処置を行うことは従来と何等変わらない。
【請求項２】
建造物が地面に接している為、自然暖房・冷房の効果がある。特に冬の暖房効果が顕著である。
【請求項３】
耐震（免震）構造の家のキャッチコピーは「犬走りのある家」である。犬走りは、生活上様々に工夫して使用すると便利である。
【考案の詳細な説明】
【考案の開示】
【考案が解決しようとする課題】
【０００１】  地震に対する耐震（免震）構造の家を追究すればするほど頑丈にするなどの固定の方法にのみ固執して震度が大きくなればなるほど家の中の家具や食器類に被害が拡大すること。
［課題を解決する為の手段］【０００２】  地震に対する構造上ひと工夫で完全なる耐震（免震）の建造物が可能となる。
つまり建物の基礎部分と建物主体とを完全に切り離す（縁切りする）。
【考案の効果】
【０００３】  ▲１▼  建物の基礎部分と建物主体とを完全に切り離す（縁切りする）ことで可動部分が滑るように地震を吸収する。
▲２▼  建物が地面に接している為、夏は冷房効果、冬は暖房効果がある。特に冬の暖房効果が顕著である。
▲３▼  建物の周囲に犬走りがあるので生活上様々に使用できて便利である。
【図面の簡単な説明】
【０００４】
【図１】  建物の基礎部分と建物主体とを完全に切り離している立面図である。
【図２】  建物の基礎部分から立ち上がる水道管・下水処理管やガス管等の揺れ（ずれ）吸収の為の緩衝作用の部分の図である。
【図３】  防水効果、雨止の為のコーキングを家の周囲に施す。
【符号の説明】
１  縁切り部分
２  ベタ基礎部分
３  犬走り部分
４  水道管緩衝部分（ゴム管）
５  ガス管緩衝部分（ゴム管）
６  トイレ（下水）緩衝部分（ゴム管）
７  防水コーキング
【図１】
0003126698.tif 000003
【図２】
0003126698.tif 000004
【図３】
0003126698.tif 000005
【手続補正書】
【提出日】平成18年5月11日(2006.5.11)
【手続補正１】
【補正対象書類名】実用新案登録請求の範囲
【補正対象項目名】全文
【補正方法】変更
【補正の内容】
【実用新案登録請求の範囲】
【請求項１】
地震に対する耐震・免震の建築物で、比較的簡単な仕組みによるほぼ完全な耐震・免震の機能を有した建造物
建造物の基礎工事において、コンクリートによるベタ基礎を一工夫して耐震免震の機能を有した建造物になるように考案したもので、ベタ基礎を既存の建物の高さまで上げて、その上に直接土台柱を組み込んでいくが、基礎面と土台柱とは固定せずに間に縁切りのシート等を挟んで連結せずに自由に動くようにした建造物である。
【請求項２】
考案の建造物は直接地面に接しているため大地の冷暖房効果が期待できることを特徴とする請求項１記載の建造物である。
【請求項３】
耐震・免震構造の家の犬走りの部分が、地震の振幅を吸収するだけの幅を有して、しかも生活上様々に工夫して使用すると便利であることを特徴とする請求項１記載の建造物
【手続補正２】
【補正対象書類名】明細書
【補正対象項目名】全文
【補正方法】変更
【補正の内容】
【考案の詳細な説明】
【考案の開示】
【考案が解決しようとする課題】
【０００１】  従来の建造物は基礎と建物の土台とをボルトナットで締め付けて固定したりして堅牢な建造物を構築しようと考えていた。
地震に対する耐震（免震）構造の家を追究すればするほど頑丈にするなどの固定の方法にのみ固執して震度が大きくなればなるほど家の中の家具や食器類に被害が拡大していた。
【課題を解決する為の手段】
【０００２】  建物の基礎部分と建物主体とを完全に切り離すつまり縁切りすることによって地震の震動を建物に伝えない構造の建造物を構築することである。
つまりベタ基礎の面にシートに類するものを敷き詰めてその上に建物の土台柱を直接載せて組み込み建造物を建てていくものである。縁切りの材料は防水の役割も果たす防水シートに限らず、ステンレス製の鋼板、プラスティック板等多様に考えられる。最も振動を伝え難くするには錆びないようにステンレスでできたピンポン玉大の球を縁切りに使用すれば震動は限り無くゼロに近付くようになる。
地震による震動は縁切りシートの部分がずれ動くことによって建物には伝わりにくくなり伝わる震動は大幅に減少する。
【考案の効果】
【０００３】▲１▼  建物の基礎部分と建物主体とを完全に切り離し縁切りすることで可動部分が滑るように地震を吸収する。
▲２▼  建物が地面に接している為、夏は冷房効果、冬は暖房効果がある。特に冬の暖房効果が顕著であると考えられる。
▲３▼  建物の周囲に犬走りがあるので生活上様々に使用できて便利である。
【図面の簡単な説明】
【０００４】
【図１】建物の基礎部分と建物主体とを完全に切り離している立面図である。
【図２】建物の基礎部分から立ち上がる水道管・下水処理管やガス管等の揺れ（ずれ）吸収の為の緩衝作用の部分の図である。
【図３】既存と新案との基礎の違いの比較図
【符号の説明】
▲１▼  縁切り部分
▲２▼  ベタ基礎部分
▲３▼  犬走り部分
▲４▼  水道管緩衝部分（ゴム管）
▲５▼  ガス管緩衝部分（ゴム管）
▲６▼  トイレ（下水）緩衝部分（ゴム管）
▲７▼  風呂の下水処理
【手続補正３】
【補正対象書類名】図面
【補正対象項目名】全図
【補正方法】変更
【補正の内容】
【図１】
0003126698.tif 000006
【図２】
0003126698.tif 000007
【図３】
0003126698.tif 000008
【手続補正書】
【提出日】平成18年7月25日(2006.7.25)
【手続補正１】
【補正対象書類名】実用新案登録請求の範囲
【補正対象項目名】全文
【補正方法】変更
【補正の内容】
【実用新案登録請求の範囲】
【請求項１】
地震に対する耐震・免震の建造物において、ベタ基礎を既存の建物の高さまで上げて、その上に直接土台柱を組み込んでいくが、ベタ基礎の基礎面と土台柱とは固定せずに間に縁切りのシートを挟んで連結せずに震動で動くように構成した耐震・免震の建造物。
【請求項２】
耐震・免震構造の建造物の犬走りの部分が、地震の振幅を吸収するだけの幅を有している請求項１記載の耐震・免震の建造物